(57)【要約】【課題】  入浴時にチェーン付きリングが体に触れず、不快に感じさせることがなくなると共に、手でチェーンをどの方向から引っ張っても、チェーンに曲げ負荷がかからず、チェーンを長持ちさせること。【解決手段】  ヒートン栓１に接続されるチェーン２付きリング３を、連結手段４を介して浴槽内壁面５に突設したヒートン栓基軸６に取り付けるヒートン栓１の取付構造である。連結手段４は、チェーン２付きリング３よりも大径に形成されると共にヒートン栓基軸６を中心に浴槽内壁面５から離れる方向Ａに回動自在に連結されるリングカバー４ａを備える。リングカバー４ａの裏面側にチェーン２付きリング３を納めた状態でチェーン２付きリング３をリングカバー４ａの回動軸Ｂと略直交する軸線Ｃ回りに回動自在に取り付けた。【選択図】        図１
2005211162.tif 000002
【特許請求の範囲】
【請求項１】
ヒートン栓に接続されるチェーン付きリングを、連結手段を介して浴槽内壁面に突設したヒートン栓基軸に取り付けるヒートン栓の取付構造において、上記連結手段は、チェーン付きリングよりも大径に形成されると共にヒートン栓基軸を中心に浴槽内壁面から離れる方向に回動自在に連結されるリングカバーを備え、該リングカバーの裏面側にチェーン付きリングを納めた状態でチェーン付きリングをリングカバーの回動軸と略直交する軸線回りに回動自在に取り付けてなることを特徴とするヒートン栓の取付構造。
【請求項２】
上記リングカバーは、折れ曲げ可能な複数のカバー分割片で構成されていることを特徴とする請求項１記載のヒートン栓の取付構造。
【請求項３】
ヒートン栓に接続されるチェーン付きリングを、連結手段を介して浴槽内壁面に突設したヒートン栓基軸に取り付けるヒートン栓の取付構造において、上記連結手段は、チェーン付きリングよりも大径に形成されると共にヒートン栓基軸を中心に浴槽内壁面から離れる方向に回動自在に連結される連結リングと、連結リングの前後両側に配置されて連結リングに対して回動自在に保持される前後一対のリングカバーとを備え、該前後一対のリングカバーの間にチェーン付きリングを納めた状態でチェーン付きリングを連結リングに対して連結リングの円周方向に沿って摺動自在に取り付けてなることを特徴とするヒートン栓の取付構造。
【請求項４】
上記リングカバーの前面を曲面状に形成したことを特徴とする請求項１乃至３のいずれかに記載のヒートン栓の取付構造。
【発明の詳細な説明】
【技術分野】
【０００１】
本発明は、ヒートン栓の取付構造に関し、詳しくはヒートン栓に接続されるチェーン付きリングを浴槽内壁面に固定したヒートン栓基軸に連結する技術に関するものである。
【背景技術】
【０００２】
従来より、ヒートン栓に接続されるチェーン付きリングを浴槽内壁面に突設したヒートン栓基軸に取り付けた構造にあっては、入浴時に浴槽内壁面に背中を押しつけたときに、リングが背中に当たって痛くなり、不快に感じることがあった。
【０００３】
そこで、従来、リングを覆う固定カバーを浴槽内壁面に固定し、この固定カバーの底に設けた下孔からリングに接続されるチェーンを引き出すようにした構成が知られている。（例えば、特許文献１参照）
ところで、一般に、手でチェーンを上に強く引っ張りあげることで、ヒートン栓を浴槽の排水口から引き抜くようにしているが、この場合、上記特許文献１に見られる従来例にあっては、チェーンが固定カバーの下孔周辺に当たって折れ曲げることで、チェーンに大きな曲げ負荷がかかり、チェーンが磨耗、腐食して、チェーン切れが発生しやすいという問題があった。
【特許文献１】実開昭６２−７３７８６号公報
【発明の開示】
【発明が解決しようとする課題】
【０００４】
本発明は上記の従来の問題点に鑑みて発明したものであって、入浴時にチェーン付きリングが体に触れず、不快に感じさせることがなくなると共に、手でチェーンをどの方向から引っ張っても、チェーンに曲げ負荷がかからず、チェーンを長持ちさせることができるヒートン栓の取付構造を提供することを課題とするものである。
【課題を解決するための手段】
【０００５】
前記課題を解決するために本発明にあっては、ヒートン栓１に接続されるチェーン２付きリング３を、連結手段４を介して浴槽内壁面５に突設したヒートン栓基軸６に取り付けるヒートン栓の取付構造において、上記連結手段４は、チェーン２付きリング３よりも大径に形成されると共にヒートン栓基軸６を中心に浴槽内壁面５から離れる方向Ａに回動自在に連結されるリングカバー４ａを備え、該リングカバー４ａの裏面側にチェーン２付きリング３を納めた状態でチェーン２付きリング３をリングカバー４ａの回動軸Ｂと略直交する軸線Ｃ回りに回動自在に取り付けてなることを特徴とすることを特徴としている。
【０００６】
このような構成とすることで、チェーン２付きリング３をリングカバー４ａで覆い隠すことができ、入浴時に浴槽内壁面５に背中を押しつけたときに、リングが直接、背中に当たって痛く感じることがなくなる。しかも、手でチェーン２を引っ張り操作してヒートン栓１を浴槽排水口から引き抜く際に、リングカバー４ａが開いたり、或いは、リング３がリングカバー４ａの回動軸Ｂと略直交する軸線Ｃ回りに回動したりすることで、チェーン２をどの方向から引っ張っても、チェーン２に曲げ負荷がかからなくなり、チェーン２の磨耗、腐食等を防止でき、これにより、チェーン２切れを防止できる。
【０００７】
また、上記リングカバー４ａは、折れ曲げ可能な複数のカバー分割片４ｂで構成されていることを特徴とするのが好ましく、この場合、リングカバー４ａを折れ曲げ可能な構造とすることで、チェーン２にかかる曲げ負荷をより小さくでき、チェーン２をより一層、長持ちさせることができる。
【０００８】
また本発明にあっては、ヒートン栓１に接続されるチェーン２付きリング３を、連結手段４を介して浴槽内壁面５に突設したヒートン栓基軸６に取り付けるヒートン栓の取付構造において、上記連結手段４は、チェーン２付きリング３よりも大径に形成されると共にヒートン栓基軸６を中心に浴槽内壁面５から離れる方向Ａに回動自在に連結される連結リング７と、連結リング７の前後両側に配置されて連結リング７に対して回動自在に保持される前後一対のリングカバー４ｃとを備え、該前後一対のリングカバー４ｃの間にチェーン２付きリング３を納めた状態でチェーン２付きリング３を連結リング７に対して連結リング７の円周方向Ｄに沿って摺動自在に取り付けてなることを特徴としている。
【０００９】
このような構成とすることで、チェーン２付きリング３を前側のリングカバー４ｃによって覆い隠すことができ、入浴時にリング３が直接、背中に当たって痛く感じることがなくなる。しかも、手でチェーン２を引っ張り操作してヒートン栓１を浴槽排水口から引き抜く際に、連結リング７が回動したり、リング３がリングカバー４ａの円周方向Ｄに摺動したりすることで、どの方向からチェーン２を引っ張っても、チェーン２に曲げ負荷がかからなくなり、チェーン２切れを防止できる。
【００１０】
また上記リングカバー４ａ（４ｃ）の前面を曲面状に形成したことを特徴とするのが好ましく、この場合、入浴時にリングカバー４ａ（４ｃ）に背中を押しつけたときの違和感を、一層、なくすことができる。
【発明の効果】
【００１１】
本発明に係るヒートン栓の取付構造にあっては、入浴時にチェーン付きリングが体に触れず、不快に感じさせることがなくなると共に、手でチェーンをどの方向から引っ張っても、チェーンに曲げ負荷がかからず、チェーンを長持ちさせることができるものである。
【発明を実施するための最良の形態】
【００１２】
以下、本発明を添付図面に示す実施形態に基いて説明する。
【００１３】
図１は、浴槽排水口を開閉するヒートン栓１がチェーン２の一端に設けられ、チェーン２の他端にリング３が設けられ、このチェーン２付きのリング３が、後述の連結手段４を介して、浴槽内壁面５に突設したヒートン栓基軸６に取り付けられている。なお、チェーン２は例えばステンレス製のボールを線材で数珠繋ぎしたボールチェーンなどで構成されている。
【００１４】
本例の連結手段４は、ヒートン栓基軸６に取り付けられるリングカバー４ａからなる。このリングカバー４ａは、例えば、プラスチック製或いはゴム製からなり、リング３よりも大径の横長楕円状（或いは円形状）に形成されていると共に、外周縁４ｄには丸みがつけられている。リングカバー４ａ上端部はヒートン栓基軸６の先端に回動自在に取り付けられている。ここでは、リングカバー４ａの回動方向は、ヒートン栓基軸６を中心に浴槽内壁面５から離れる方向Ａとなっている。
【００１５】
上記リングカバー４ａの裏面の中央側には、リングカバー４ａの回動軸Ｂと略直交する軸線Ｃ方向に向ってリング取付軸９が突設されていると共に、リング取付軸９の先端には、リング３を押えるためのビス８が取り付けられている。リング取付軸９はリング３よりも小径とされており、リング３をリング取付軸９に嵌め込み、ビス８をリング取付軸９の先端に取り付けた状態で、ビス８の頭部とリングカバー４ａの裏面との間でリング３が挟み込まれた状態となり、この状態でリング３はリングカバー４ａの回動軸Ｂと略直交する軸線Ｃを中心として図１（ｂ）の矢印Ｄ方向に、ほぼ３６０°回動自在となっている。
【００１６】
しかして、チェーン２付きリング３をリングカバー４ａの裏面側に配置したので、リング３がリングカバー４ａで覆い隠された形となり、入浴時に浴槽内壁面５に背中を押しつけたときに、従来のようにリング３が直接、背中に当たって痛く感じることがなくない。しかも、リングカバー４ａはプラスチック製或いはゴム製で、且つその前面を曲面状に形成し、そのうえリングカバー４ａの外周縁４ｄには丸みが設けられているため、背中に当たったときに違和感がなく、不快に感じさせることがなくなる。さらに、手でチェーン２を上に強く引っ張り操作してヒートン栓１を浴槽排水口から引き抜く際に、リングカバー４ａがヒートン栓基軸６を中心に浴槽内壁面５から離れる方向Ａに回動したり、或いはリング３がリングカバー４ａの回動軸Ｂと略直交する軸線Ｃ回りにほぼ３６０°の方向に回動したりするため、チェーン２に対してどの方向から引っ張り荷重がかかっても、チェーン２に曲げ負荷がかからず、チェーン２の磨耗、腐食等を防止でき、結果、チェーン２切れが発生しにくくなまたリングカバー４ａの外周縁４ｄに丸みを設けることで、チェーン２切れをより効果的に防止でき、チェーン２をより長持ちさせることができる。
【００１７】
さらに、楕円形状（或いは円形状）のリングカバー４ａによってリング３が直接目に触れなくなり、見栄えがよくなる利点があり、そのうえ、チェーン２の交換時には、ビス８を取り外すことで、リング３をリングカバー４ａから簡単に取り外すことができ、チェーン２の交換をユーザーが行なえる利点もある。
【００１８】
前記実施形態では、リングカバー４ａを楕円状（或いは円形状）に形成したが、図２に示すように、半円形状に形成してもよい。他の構成は図１の実施形態と同様である。本例では、ヒートン栓基軸６を横幅の広い形状とし、このヒートン栓基軸６に沿ってリングカバー４ａの上端部も横幅の広い形状とすることで、ヒートン栓基軸６に対する連結リング７の取り付けを安定させることができると共に、リングカバー４ａを半円形状に形成することで、リングカバー４ａをコンパクト化できる利点がある。
【００１９】
さらに他の実施形態として、図３に示すように、リングカバー４ａを折れ曲げ可能な複数のカバー分割片４ｂで構成してもよい。本例ではリングカバー４ａを多段の折れ構造とすることで、例えば、図３の仮想線のようにチェーン２を引っ張り操作した場合に、カバー分割片４ｂが折れ曲がることができるので、チェーン２にかかる曲げ負荷を、より小さくでき、チェーン２が一層、長持ちするようになる。
【００２０】
図４は連結手段４の他の実施形態を示している。本例の連結手段４は、連結リング７と、連結リング７の前後両側に配置される一対のリングカバー４ｃとで構成されている。連結リング７はチェーン２付きリング３よりも大径に形成されると共にヒートン栓基軸６を中心に浴槽内壁面５から離れる方向Ａに回動自在に連結されている。一対のリングカバー４ｃは、リング３よりも大径に形成されると共に連結リング７に対して回動自在に保持されている。ここでは、リングカバー４ｃの前面は曲面状に形成されている。また一対のリングカバー４ｃの間にはリング３をスライド自在に配置するクリアランスが設けられており、そのクリアランスのなかで、リング３が連結リング７に対して連結リング７の円周方向Ｄに沿って摺動自在に取り付けられている。なお、チェーン２の交換を容易にするため、リング３に対してチェーン２をネジ等を用いて取り外し可能に取り付けてもよい。
【００２１】
しかして、図１の実施形態と同様、リング３を前側のリングカバー４ｃによって覆い隠すことができるので、背中を押しつけたときに不快感を感じさせないようにでき、また、手でチェーン２を引っ張り操作しても、連結リング７が回動したり、リング３がリングカバー４ａの円周方向Ｄに摺動したりすることで、どの方向からチェーン２を引っ張っても、チェーン２に曲げ負荷がかからず、チェーン２切れを防止できるという、図１と同様な作用効果が得られる。
【００２２】
また本例では、ヒートン栓基軸６に連結リング７を取り付け、この連結リング７にチェーン２付きリング３を嵌め込んでいるので、リング３の取り付けが簡単になる利点がある。しかも、一方のリングカバー４ｃの裏面からリング３よりも小径の接続筒部１０を突設させ、他方のリングカバー４ｃの裏面からリング３よりも小径の被接続筒部１１を突設させ、連結リング７の内側で接続筒部１０と被接続筒部１１とを互いに接続させているので、両リングカバー４ｃを連結リング７に対してフリーな状態で、両リングカバー４ｃ同士を簡単に接続できる利点もある。なお、接続筒部１０と被接続筒部１１との接続方式はネジによる螺合や、嵌め合いによる嵌合などであってもよく、その接続方式は特に問わない。さらに本例では、連結リング７の上端面４ｅが、リングカバー４ｃの接続筒部１０（又は被接続筒部１１）の下面を受ける受け面となっており、これにより、一対のリングカバー４ｃが連結リング７の上端面４ｅにてスライド自在に支持された形となり、チェーン２を引っ張り操作したときに、一対のリングカバー４ｃが連結リング７と追随して回動することがなく、チェーン２の引っ張り操作をよりスムーズに行なえるものである。
【００２３】
図５は図４の変形例であり、連結リング７´を横向きＤ字形に形成すると共に、前後一対のリングカバー４ｃ´を半円形状に形成した場合の一例を示している。他の構成は図４の実施形態と同様である。本例では、チェーン２付きリング３の矢印Ｄ方向の回動角度はほぼ１８０°となる。ここで、ヒートン栓基軸６を横幅の広い形状とし、且つこのヒートン栓基軸６に沿って連結リング７´の上端部を横幅の広い形状とすることで、ヒートン栓基軸６に対する連結リング７´の取り付けをより安定させることができ、さらに、前後一対のリングカバー４ｃ´とその接続筒部１０、被接続筒部１１をそれぞれ半円形状に形成することで、両リングカバー４ｃ´をコンパクト化できる利点がある。
【図面の簡単な説明】
【００２４】
【図１】本発明の一実施形態を示し、（ａ）は側面断面図、（ｂ）は（ａ）のＧ方向から見た図である。
【図２】図１の変形例の説明図である。
【図３】図１の他の変形例の説明図である。
【図４】本発明の他の実施形態を示し、（ａ）は側面断面図、（ｂ）は（ａ）のＧ方向から見た図である。
【図５】図４の変形例の説明図である。
【符号の説明】
【００２５】
１  ヒートン栓
２  チェーン
３  リング
４  連結手段
４ａ、４ｃ  リングカバー
４ｂ  カバー分割片
５  浴槽内壁面
６  ヒートン栓基軸
Ｂ  リングカバーの回動軸
Ｃ  回動軸と直交する軸線
Ｄ  円周方向
【図１】
2005211162.tif 000003
【図２】
2005211162.tif 000004
【図３】
2005211162.tif 000005
【図４】
2005211162.tif 000006
【図５】
2005211162.tif 000007